【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
薬局ワークフロー管理アプリケーションにおける複数のドーズオーダーのバッチ処理のためのシステムであって、以下を含むシステム：
前記薬局ワークフロー管理アプリケーションから離れ、且つ該アプリケーションと動作可能に通信するアクセス端末、
ここで、前記薬局ワークフロー管理アプリケーションが、前記薬局ワークフロー管理アプリケーションが受け取るドーズオーダーに対応する複数のドーズオーダー記録にアクセスするよう動作可能であり、及び
ここで、前記複数のドーズオーダーは同一の成分製品を含み、及び
ここで、前記複数のドーズオーダーは調合されておらず、及び
ここで、前記薬局ワークフロー管理アプリケーションは、前記複数のドーズオーダーを集合化させて、集合化された複数の前記ドーズオーダーを生成するように動作可能である；並びに、
前記集合化された複数のドーズオーダー記録に対応するドーズ調合プロトコルを表示するために、前記アクセス端末にて設けられるユーザー・インターフェース、
ここで、前記ドーズ調合プロトコルが、前記集合化された複数の各ドーズオーダーを調合するのに必要な前記同一の成分製品のうち少なくとも１つの集合量を含み、及び
ここで、前記薬局ワークフローアプリケーションは、ユーザーから、前記薬局ワークフロー管理アプリケーションのユーザー入力の手段により、前記少なくとも１つの成分製品の前記集合量の指示を受け取るように動作可能であり、及び
前記ユーザー・インターフェースは、前記ユーザーに対して、前記ユーザー・インターフェースを介して、前記集合化された複数のドーズの調合に関する１以上の調合ステップを、前記少なくとも１つの成分製品の前記集合量を受け取った後で、提示するよう動作可能である。
【請求項２】
請求項１に記載のシステムであって、ここで、前記薬局ワークフロー管理アプリケーションは、前記集合化した複数のドーズオーダーが、バッチワークフローを介した調合に適したものとして決定するよう動作可能であり、
ここで、前記バッチワークフローは、前記集合化された複数のドーズオーダーの各ドーズオーダーのために個別のドーズ調合プロトコルが必要とならないよう共通の順序にて、前記集合化された複数のドーズオーダーを調合することに対応する、該システム。
【請求項３】
請求項２に記載のシステムであって、ここで、前記薬局ワークフロー管理アプリケーションは、前記バッチワークフローを介した調合のための前記集合化した複数のドーズオーダーに対応する前記ドーズ調合プロトコルを開始するよう動作可能である、該システム。
【請求項４】
請求項３に記載のシステムであって、ここで、前記薬局ワークフロー管理アプリケーションは、前記集合化した複数のドーズオーダーの各ドーズオーダーに関するドーズラベルを印刷するよう動作可能である、該システム。
【請求項５】
請求項３に記載のシステムであって、ここで、前記少なくとも１つの成分製品の前記集合量の指示が、前記集合化した複数のドーズの調合において使用するための１以上の処方製品に対応する、該システム。
【請求項６】
請求項５に記載のシステムであって、ここで、前記薬局ワークフロー管理アプリケーションが、ｗｏｒｋ−ｉｎ−ｐｒｏｇｒｅｓｓラベルを、前記少なくとも１つの成分製品の集合量を受け取った後で印刷するよう動作可能であり、及び
ここで、前記ｗｏｒｋ−ｉｎ−ｐｒｏｇｒｅｓｓラベルは、前記１以上の調合ステップが完了した後の前記１以上の処方製品の残りのボリュームを表す、該システム。
【請求項７】
請求項５に記載のシステムであって、ここで、前記提示することが、前記１以上の処方製品をそれぞれ使用するための、且つ、ｗｏｒｋ−ｉｎ−ｐｒｏｇｒｅｓｓラベルが印刷されない、前記１以上の調合ステップを提示することを含み、及び
ここで、前記ｗｏｒｋ−ｉｎ−ｐｒｏｇｒｅｓｓラベルは、前記集合化した複数のドーズの所与のドーズのための前記１以上の調合ステップが完了した後の前記１以上の処方製品の残りのボリュームを表す、該システム。
【請求項８】
請求項１に記載のシステムであって、ここで、前記少なくとも１つの成分製品の前記集合量の指示は、前記ドーズオーダーの調合の際に使用するための１以上の処方製品に対応する、該システム。
【請求項９】
請求項８に記載のシステムであって、ここで、トータル処方製品ボリュームが前記少なくとも１つの成分製品の前記集合量と等しくなるよう、前記１以上の処方製品は、前記トータル処方製品ボリュームを含む、該システム。
【請求項１０】
請求項１に記載のシステムであって、ここで、前記アクセスすることは、以下を含む、該システム：前記アクセスされた複数のドーズオーダー記録が同一の成分製品を含むように、前記複数のドーズオーダー記録の間での共通の関連属性を特定すること。
【請求項１１】
請求項１０に記載のシステムであって、ここで、前記集合化することが以下を含む、該システム：前記複数のドーズオーダーを、キューへ、前記特定された共通の関連属性に少なくとも部分的に基づいてグループ化すること。
【請求項１２】
請求項１１に記載のシステムであって、ここで、前記薬局ワークフロー管理アプリケーションが、前記キューの前記集合化した複数のドーズオーダーに対応する前記ドーズ調合プロトコルを開始するよう動作可能である、該システム。
【請求項１３】
請求項１に記載のシステムであって、ここで、前記集合量が、前記ドーズオーダーの前記同一の成分製品をそれぞれ含む、該システム。
【請求項１４】
請求項１に記載のシステムであって、ここで、前記指示はスキャンを含む、該システム。
【手続補正２】
【補正対象書類名】明細書
【補正対象項目名】０１７０
【補正方法】変更
【補正の内容】
【０１７０】
例示及び説明目的で、本発明に関する上記説明を提示してきた。更に、上記説明は、本発明を、本明細書に記載の形態に限定することを意図するものではない。従って、関連技術に関する上記教示、技術及び知識に匹敵する改変及び変更は、本発明の範囲内である。上述の実施形態は、更に以下の点を意図している：本発明を実施するにあたっての知る限りのベストモードを説明すること；及び他の当業者が、本発明を、こうした実施形態又は他の実施形態において利用することを可能にすること（及び、本発明の特定の応用（複数可）又は利用（複数可）によって必要とされる様々な変更を伴って利用することを可能にすること）。添付した特許請求の範囲については、従来技術によって拡張可能な別の実施形態の範囲を包含するものとして解釈されることを意図する。
一側面において、本発明は以下の発明を包含する。
（発明１）
薬局ワークフロー管理アプリケーションにおける複数のドーズオーダーのバッチ処理の方法であって、以下を含む方法：
前記薬局ワークフロー管理アプリケーションを実行するプロセッサが、前記薬局ワークフロー管理アプリケーションが受け取るドーズオーダーに対応する複数のドーズオーダー記録にアクセスすること、ここで、前記複数のドーズオーダーは同一の成分製品を含み、及び、前記複数のドーズオーダーは調合されていない；
前記複数のドーズオーダーを集合化させて、集合化された前記複数のドーズオーダーを生成すること；
前記薬局ワークフロー管理アプリケーションのユーザー・インターフェースが、前記集合化された複数のドーズオーダー記録に対応するドーズ調合プロトコルを表示すること、ここで、前記ドーズ調合プロトコルは、前記集合化された複数のドーズオーダー記録それぞれを調合するのに必要となる前記同一の成分製品のうち少なくとも１つの集合量を含む；
ユーザーから、前記薬局ワークフロー管理アプリケーションのユーザー入力の手段により、前記少なくとも１つの成分製品の前記集合量の指示を受け取ること；及び
前記ユーザーに、前記ユーザー・インターフェースを介して、前記集合化された複数のドーズの調合に関する１以上の調合ステップを、前記少なくとも１つの成分製品の前記集合量を受け取った後、提示すること。
（発明２）
発明１に記載の方法であって、更に以下を含む、該方法：
前記プロセッサが、前記集合化した複数のドーズオーダーを、バッチワークフローを介した調合に適したものである旨の決定すること、ここで、前記バッチワークフローは、前記集合化された複数のドーズオーダーの各ドーズオーダーのために個別のドーズ調合プロトコルが必要とならないよう共通の順序にて、前記集合化された複数のドーズオーダーを調合することに対応する。
（発明３）
発明２に記載の方法であって、更に前記決定の後に以下を含む、該方法：
前記バッチワークフローを介した調合のための前記集合化した複数のドーズオーダーに対応する前記ドーズ調合プロトコルを開始すること。
（発明４）
発明３に記載の方法であって、更に以下を含む、該方法：
前記集合化した複数のドーズオーダーの各ドーズオーダーのためのドーズラベルを印刷すること。
（発明５）
発明３に記載の方法であって、前記少なくとも１つの成分製品の前記集合量の指示が、前記集合化した複数のドーズの調合において使用するための１以上の処方製品に対応する、該方法。
（発明６）
発明５に記載の方法であって、更に以下を含む、該方法：
前記少なくとも１つの成分製品の集合量を受け取った後、ｗｏｒｋ−ｉｎ−ｐｒｏｇｒｅｓｓラベルを印刷すること、ここで、前記ｗｏｒｋ−ｉｎ−ｐｒｏｇｒｅｓｓラベルは、前記１以上の調合ステップが完了した後の前記１以上の処方製品の残りのボリュームを表す。
（発明７）
発明５に記載の方法であって、前記提示は以下を含む、該方法：前記１以上の処方製品をそれぞれ使用するための、且つ、ｗｏｒｋ−ｉｎ−ｐｒｏｇｒｅｓｓラベルが印刷されない、前記１以上の調合ステップを提示すること、ここで、前記ｗｏｒｋ−ｉｎ−ｐｒｏｇｒｅｓｓラベルは、前記集合化した複数のドーズの所与のドーズのための前記１以上の調合ステップが完了した後の前記１以上の処方製品の残りのボリュームを表す。
（発明８）
発明１に記載の方法であって、前記少なくとも１つの成分製品の前記集合量の指示は、前記ドーズオーダーの調合の際に使用するための１以上の処方製品に対応する、該方法。
（発明９）
発明８に記載の方法であって、前記１以上の処方製品は、トータル処方製品ボリュームを含み、その結果、前記トータル処方製品ボリュームが前記少なくとも１つの成分製品の前記集合量と等しくなる、該方法。
（発明１０）
発明１に記載の方法であって、ここで、前記アクセスすることは、以下を含む、該方法：前記アクセスされた複数のドーズオーダー記録が同一の成分製品を含むように、前記複数のドーズオーダー記録の間での共通の関連属性を特定すること。
（発明１１）
発明１０に記載の方法であって、ここで、前記集合化することが以下を含む、該方法：前記特定された共通の関連属性に少なくとも部分的に基づいて前記複数のドーズオーダーをキューへグループ化すること。
（発明１２）
発明１１に記載の方法であって、更に以下を含む、該方法：
前記キューの前記集合化した複数のドーズオーダーに対応する前記ドーズ調合プロトコルを開始すること。
（発明１３）
発明１に記載の方法であって、前記集合量が、前記ドーズオーダーの前記同一の成分製品をそれぞれ含む、該方法。
（発明１４）
発明１に記載の方法であって、ここで、前記指示はスキャンを含む、該方法。
（発明１５）
薬局ワークフロー管理アプリケーションのドーズオーダー調合プロトコルにおいて使用することを目的とした最終容器の動的決定のための方法であって、以下を含む方法：
前記薬局ワークフロー管理アプリケーションを実行するプロセッサが、前記薬局ワークフロー管理アプリケーションが受け取るドーズオーダーに対応するドーズオーダー記録にアクセスすること、ここで、前記ドーズオーダーは調合されていない；
前記ドーズオーダーに対応するドーズ調合プロトコルを開始すること；
前記ドーズ調合プロトコルに関連する複数の製品の指示を受け取ること；
前記受け取ることに応答して、前記製品のうち少なくとも１つを、最終容器に対応する選択された製品として動的に決定すること、ここで、前記動的決定は、選択された製品の最終容器の特徴に少なくとも部分的に基づく；及び
前記薬局ワークフローアプリケーションのユーザー・インターフェースにて、前記最終容器に対する前記ドーズの調合に関連するドーズ調合ステップを表示すること。
（発明１６）
発明１５に記載の方法であって、ここで、前記最終容器の特徴が、前記ドーズオーダー記録に対応する第一のデータフィールド、及び、前記複数の指示された製品のうち少なくとも１つに関連する処方データ記録に対応する第二のデータフィールドを含み、並びに、ここで、前記第一のデータフィールド及び前記第二のデータフィールドは複数の値を含む、該方法。
（発明１７）
発明１６に記載の方法であって、ここで、前記動的に決定することが、前記ドーズオーダーの最終容器インジケータを示す前記第一のデータフィールドの値を特定することを含み、及び
ここで、前記最終容器指示が、前記ドーズオーダーが前記最終容器における調合に適する事を示す、該方法。
（発明１８）
発明１７に記載の方法であって、ここで、前記動的に決定することが、前記ドーズ調合プロトコルに関連する前記複数の製品の希釈製品を示す前記第二のデータフィールドの値を特定することを含み、及び、
ここで、前記希釈製品が、前記ドーズオーダーが前記最終容器における調合に適する事を示す、該方法。
（発明１９）
発明１８に記載の方法であって、ここで、前記動的に決定することが、危険物（Ｈａｚｍａｔ）ドラッグを有さないドーズオーダーを示す前記第一のデータフィールドの値を特定することを含み、及び、
ここで、前記危険物（Ｈａｚｍａｔ）ドラッグを有さない前記ドーズオーダーが、前記ドーズオーダーが前記最終容器における調合に適する事を示す、該方法。
（発明２０）
発明１９に記載の方法であって、ここで、前記動的に決定することが以下を含み：
希釈ライン項目を示す前記第一のデータフィールドの値を特定すること；及び
ＱＳドラッグフィールドを示す前記第二のデータフィールドの値を特定すること、並びに、
ここで、前記ドーズオーダーが前記最終容器における調合に適するよう、前記希釈ライン項目が前記ＱＳドラッグフィールドと等しくなる、該方法。
（発明２１）
発明２０に記載の方法であって、ここで、前記動的に決定することが、前記ドーズオーダーのトータルボリュームを示す前記第一のデータフィールドの値を特定することを含み、及び
ここで、前記ドーズオーダーが前記最終容器における調合に適するよう、前記値が最小ドーズボリュームを超える、該方法。
（発明２２）
発明２１に記載の方法であって、ここで、前記最小ドーズボリュームが、サイト特異的な好適性に基づいて設定可能である、該方法。
（発明２３）
発明２１に記載の方法であって、ここで、前記最小ドーズボリュームが２４ｍｌである、該方法。
（発明２４）
発明２１に記載の方法であって、ここで、前記動的に決定することが、前記希釈製品の最終容器指示を示す前記第二のデータフィールドの値を特定することを含み、及び
ここで、前記希釈製品の前記最終容器指示が、前記希釈製品が前記最終容器に対応する前記選択された製品として適切である事を示す、該方法。
（発明２５）
発明２４に記載の方法であって、ここで、前記動的に決定することが、前記最終容器に対応する複数の選択された製品を有さないドーズオーダーであることを示す前記第二のデータフィールドの値を特定することを含み、及び
ここで、前記最終容器に対応する複数の選択された製品を有さない前記ドーズオーダーが、前記ドーズオーダーが前記最終容器における調合に適する事を示す。
（発明２６）
発明２５に記載の方法であって、ここで、前記動的に決定することが、前記希釈製品の新たな容器を示す前記第二のデータフィールドの値を特定することを含み、及び
ここで、前記希釈製品の前記新たな容器が、前記ドーズオーダーが前記最終容器における調合に適する事を示す。
（発明２７）
発明２６に記載の方法であって、ここで、前記動的に決定することが、前記ドーズオーダーのトータルボリュームを示す前記第一のデータフィールドの値を特定すること、及び、前記希釈製品のボリュームを示す前記第二のデータフィールドの値を特定することを含み、
ここで、前記ドーズオーダーが前記最終容器における調合に適するよう、前記ドーズオーダーのトータルボリュームと前記希釈製品の前記ボリュームとの間の絶対パーセンテージ差分が、所定の差分パーセンテージ未満である、該方法。
（発明２８）
発明２７に記載の方法であって、ここで、前記所定の差分パーセンテージが、サイト特異的な好適性に基づいて設定可能である、該方法。
（発明２９）
発明２７に記載の方法であって、ここで、前記所定の差分パーセンテージが１００％である、該方法。
（発明３０）
発明２７に記載の方法であって、ここで、前記動的に決定することが、前記ドーズオーダーのトータルボリュームを示す前記第一のデータフィールドの値を特定することを含み、及び、前記ドーズオーダーのキャリア成分ボリュームを示す前記第二のデータフィールドの値を特定することを含み、
ここで、前記ドーズオーダーが前記最終容器における調合に適するよう、前記ドーズオーダーのキャリア成分ボリュームと前記ドーズオーダーのトータルボリュームとの間での差分が、所定のウェイストボリューム未満である、該方法。
（発明３１）
発明３０に記載の方法であって、ここで、前記所定のウェイストボリュームが、サイト特異的な好適性に基づいて設定可能である、該方法。
（発明３２）
発明３０に記載の方法であって、ここで、前記所定のウェイストボリュームが２００ｍｌである、該方法。
（発明３３）
薬局ワークフロー管理アプリケーションのドーズオーダー調合プロトコルにおける動的な希釈ボリューム計算のための方法であって、以下を含む方法：
前記薬局ワークフロー管理アプリケーションを実行するプロセッサが、前記薬局ワークフロー管理アプリケーションが受け取るドーズオーダーに対応するドーズオーダー記録にアクセスすること、ここで、前記ドーズオーダーは調合されていない；
ドーズ調合プロトコルに関連する製品の第一の指示を受け取ること；
前記受け取ることに応答して、必要な希釈ボリュームを、前記指示に基づいて動的に決定すること；及び
前記薬局ワークフローアプリケーションのユーザー・インターフェースにて、前記必要な希釈ボリュームに対する前記ドーズの調合に関連するドーズ調合ステップを表示すること。
（発明３４）
発明３３に記載の方法であって、更に以下を含む、該方法：
前記動的に決定された必要な希釈ボリュームの第二の指示を受け取ること。
（発明３５）
発明３４に記載の方法であって、ここで、前記動的に決定された必要な希釈ボリュームの前記指示は、前記ドーズオーダーの調合の際に使用するための１以上の処方製品に対応する、該方法。
（発明３６）
発明３５に記載の方法であって、ここで、前記１以上の処方製品が、ドーズ調合プロトコルに対して許可された希釈製品のリストに関連する、該方法。
（発明３７）
発明３６に記載の方法であって、ここで、前記１以上の各処方製品が同一の処方製品である、該方法。
（発明３８）
発明３５に記載の方法であって、ここで、トータル処方製品が前記動的に決定された必要な希釈ボリュームと等しくなるよう、前記１以上の処方製品が前記トータル処方製品ボリュームを含む、該方法。
（発明３９）
発明３３に記載の方法であって、ここで、前記表示することが、前記動的に決定された必要な希釈ボリュームを表示することを含む、該方法。
（発明４０）
発明３９に記載の方法であって、ここで、前記動的に決定された必要な希釈ボリュームが、前記必要な希釈ボリュームの第二の指示を受け取ることに基づいて設定可能である、該方法。
（発明４１）
発明３３に記載の方法であって、ここで、前記表示することが、折りたたんだときに情報を隠すように構成される少なくとも１つの折り畳み可能なエリアを表示することを含み、及び
ここで、前記情報は前記動的に決定された必要な希釈ボリュームの第二の指示に対応する、該方法。
（発明４２）
薬局ワークフロー管理アプリケーションにおける薬局ワークフローキューにてドーズオーダー記録に関するエラーを管理するための方法であって、以下を含む方法：
前記薬局ワークフロー管理アプリケーションを実行するプロセッサが、前記薬局ワークフロー管理アプリケーションが受け取るドーズオーダーに対応するドーズオーダー記録にアクセスすること、ここで、前記ドーズオーダーは調合されていない；
前記プロセッサが、前記ドーズオーダーに関連するエラー状態に対応するアラートを生成するために、前記ドーズオーダー記録の第一の処理を実行すること；
前記薬局ワークフロー管理アプリケーションのユーザー・インターフェースにて、前記アラートに関連して対応する前記ドーズオーダーを表示すること；
前記エラーの解決を示す入力を受け取ること；
前記入力に基づいて、前記ドーズオーダーの第二の処理を実行すること；及び、
前記解決を確認した後で、前記ドーズオーダーを再度キューに追加すること。
（発明４３）
発明４２に記載の方法であって、ここで、前記エラー状態は構文エラーを含む、該方法。
（発明４４）
発明４３に記載の方法であって、ここで、前記構文エラーが、前記ドーズオーダー記録の１以上の理解できないデータ属性に対応する、該方法。
（発明４５）
発明４２に記載の方法であって、ここで、前記エラー状態がドラッグエラーを含む、該方法。
（発明４６）
発明４５に記載の方法であって、ここで、前記ドラッグエラーが、前記ドーズオーダー記録のドラッグに関連する１以上の認識できないデータ属性に対応する、該方法。
（発明４７）
発明４６に記載の方法であって、更に以下を含む、該方法：
処方データ記録を、前記認識できないデータ属性に少なくとも部分的に基づいて作成すること。
（発明４８）
発明４２に記載の方法であって、ここで、前記エラー状態が、未知のユニットのエラーを含む、該方法。
（発明４９）
発明４８に記載の方法であって、ここで、前記未知のユニットのエラーが、前記ドーズオーダー記録のユニットに関連する認識できないデータ属性に対応する、該方法。
（発明５０）
発明４２に記載の方法であって、ここで、前記エラー状態が、未知の製品のエラーを含む、該方法。
（発明５１）
発明５０に記載の方法であって、ここで、前記未知の製品のエラーが、前記ドーズオーダー記録の製品に関連する認識できないデータ属性に対応する、該方法。
（発明５２）
発明５１に記載の方法であって、更に以下を含む、該方法：
処方データ記録を、前記認識できないデータ属性に少なくとも部分的に基づいて作成すること。
（発明５３）
発明４２に記載の方法であって、ここで、前記エラー状態が、未知のルートのエラーを含む、該方法。
（発明５４）
発明５３に記載の方法であって、ここで、前記未知のルートのエラーが、前記ドーズオーダーのルートに関連する認識できないデータ属性に対応する、該方法。
（発明５５）
発明５４に記載の方法であって、更に以下を含む、該方法：
処方データ記録を、前記認識できないデータ属性に少なくとも部分的に基づいて変更すること。
（発明５６）
発明４２に記載の方法であって、ここで、前記エラー状態がパスワードエラーを含む、該方法。
（発明５７）
発明５６に記載の方法であって、ここで、前記パスワードエラーが、ユーザーアカウントのパスワードの期限切れに対応する、該方法。
（発明５８）
発明５６に記載の方法であって、ここで、前記パスワードエラーが、無効なユーザーアカウントに対応する、該方法。
（発明５９）
発明４２に記載の方法であって、ここで、前記エラー状態が、中止が疑われるドーズエラーに対応する、該方法。
（発明６０）
発明５９に記載の方法であって、ここで、前記中止が疑われるドーズエラーが、中止されたドーズオーダーに対応する、該方法。
（発明６１）
発明６０に記載の方法であって、更に以下を含む、該方法：
前記中止されたドーズオーダーを削除すること。
（発明６２）
発明４２に記載の方法であって、ここで、前記エラー状態が、二重化が疑われるエラーを含む、該方法。
（発明６３）
発明６２に記載の方法であって、ここで、前記二重化が疑われるエラーが、二重化ドーズオーダーに対応する、該方法。
（発明６４）
発明６３に記載の方法であって、更に以下を含む：
前記二重化ドーズオーダーを削除すること。
（発明６５）
薬局ワークフロー管理アプリケーションにおける複数のドーズオーダーのバッチ処理のためのシステムであって、以下を含むシステム：
前記薬局ワークフロー管理アプリケーションから離れ、且つ該アプリケーションと動作可能に通信するアクセス端末、
ここで、前記薬局ワークフロー管理アプリケーションが、前記薬局ワークフロー管理アプリケーションが受け取るドーズオーダーに対応する複数のドーズオーダー記録にアクセスするよう動作可能であり、及び
ここで、前記複数のドーズオーダーは同一の成分製品を含み、及び
ここで、前記複数のドーズオーダーは調合されておらず、及び
ここで、前記薬局ワークフロー管理アプリケーションは、前記複数のドーズオーダーを集合化させて、集合化された複数の前記ドーズオーダーを生成するように動作可能である；並びに、
前記集合化された複数のドーズオーダー記録に対応するドーズ調合プロトコルを表示するために、前記アクセス端末にて設けられるユーザー・インターフェース、
ここで、前記ドーズ調合プロトコルが、前記集合化された複数の各ドーズオーダーを調合するのに必要な前記同一の成分製品のうち少なくとも１つの集合量を含み、及び
ここで、前記薬局ワークフローアプリケーションは、ユーザーから、前記薬局ワークフロー管理アプリケーションのユーザー入力の手段により、前記少なくとも１つの成分製品の前記集合量の指示を受け取るように動作可能であり、及び
前記ユーザー・インターフェースは、前記ユーザーに対して、前記ユーザー・インターフェースを介して、前記集合化された複数のドーズの調合に関する１以上の調合ステップを、前記少なくとも１つの成分製品の前記集合量を受け取った後で、提示するよう動作可能である。
（発明６６）
発明６５に記載のシステムであって、ここで、前記薬局ワークフロー管理アプリケーションは、前記集合化した複数のドーズオーダーが、バッチワークフローを介した調合に適したものとして決定するよう動作可能であり、
ここで、前記バッチワークフローは、前記集合化された複数のドーズオーダーの各ドーズオーダーのために個別のドーズ調合プロトコルが必要とならないよう共通の順序にて、前記集合化された複数のドーズオーダーを調合することに対応する、該システム。
（発明６７）
発明６６に記載のシステムであって、ここで、前記薬局ワークフロー管理アプリケーションは、前記バッチワークフローを介した調合のための前記集合化した複数のドーズオーダーに対応する前記ドーズ調合プロトコルを開始するよう動作可能である、該システム。
（発明６８）
発明６７に記載のシステムであって、ここで、前記薬局ワークフロー管理アプリケーションは、前記集合化した複数のドーズオーダーの各ドーズオーダーに関するドーズラベルを印刷するよう動作可能である、該システム。
（発明６９）
発明６７に記載のシステムであって、ここで、前記少なくとも１つの成分製品の前記集合量の指示が、前記集合化した複数のドーズの調合において使用するための１以上の処方製品に対応する、該システム。
（発明７０）
発明６９に記載のシステムであって、ここで、前記薬局ワークフロー管理アプリケーションが、ｗｏｒｋ−ｉｎ−ｐｒｏｇｒｅｓｓラベルを、前記少なくとも１つの成分製品の集合量を受け取った後で印刷するよう動作可能であり、及び
ここで、前記ｗｏｒｋ−ｉｎ−ｐｒｏｇｒｅｓｓラベルは、前記１以上の調合ステップが完了した後の前記１以上の処方製品の残りのボリュームを表す、該システム。
（発明７１）
発明６９に記載のシステムであって、ここで、前記提示することが、前記１以上の処方製品をそれぞれ使用するための、且つ、ｗｏｒｋ−ｉｎ−ｐｒｏｇｒｅｓｓラベルが印刷されない、前記１以上の調合ステップを提示することを含み、及び
ここで、前記ｗｏｒｋ−ｉｎ−ｐｒｏｇｒｅｓｓラベルは、前記集合化した複数のドーズの所与のドーズのための前記１以上の調合ステップが完了した後の前記１以上の処方製品の残りのボリュームを表す、該システム。
（発明７２）
発明６５に記載のシステムであって、ここで、前記少なくとも１つの成分製品の前記集合量の指示は、前記ドーズオーダーの調合の際に使用するための１以上の処方製品に対応する、該システム。
（発明７３）
発明７２に記載のシステムであって、ここで、トータル処方製品ボリュームが前記少なくとも１つの成分製品の前記集合量と等しくなるよう、前記１以上の処方製品は、前記トータル処方製品ボリュームを含む、該システム。
（発明７４）
発明６５に記載のシステムであって、ここで、前記アクセスすることは、以下を含む、該システム：前記アクセスされた複数のドーズオーダー記録が同一の成分製品を含むように、前記複数のドーズオーダー記録の間での共通の関連属性を特定すること。
（発明７５）
発明７４に記載のシステムであって、ここで、前記集合化することが以下を含む、該システム：前記複数のドーズオーダーを、キューへ、前記特定された共通の関連属性に少なくとも部分的に基づいてグループ化すること。
（発明７６）
発明７５に記載のシステムであって、ここで、前記薬局ワークフロー管理アプリケーションが、前記キューの前記集合化した複数のドーズオーダーに対応する前記ドーズ調合プロトコルを開始するよう動作可能である、該システム。
（発明７７）
発明６５に記載のシステムであって、ここで、前記集合量が、前記ドーズオーダーの前記同一の成分製品をそれぞれ含む、該システム。
（発明７８）
発明６５に記載のシステムであって、ここで、前記指示はスキャンを含む、該システム。
（発明７９）
薬局ワークフロー管理アプリケーションのドーズオーダー調合プロトコルにおいて使用するための最終容器の動的決定のためのシステムであって、以下を含むシステム：
前記薬局ワークフロー管理アプリケーションから離れ、且つ該アプリケーションと動作可能に通信するアクセス端末、
ここで、前記薬局ワークフロー管理アプリケーションが、前記薬局ワークフロー管理アプリケーションが受け取るドーズオーダーに対応するドーズオーダー記録にアクセスするよう動作可能であり、及び
ここで、前記ドーズオーダーは調合されておらず、及び
ここで、前記薬局管理アプリケーションが、ドーズオーダーに対応するドーズ調合プロトコルを開始するよう動作可能であり、及び
ここで、前記薬局ワークフローアプリケーションが、前記ドーズ調合プロトコルに関連する複数の製品の指示を受け取るよう動作可能であり、及び
ここで、前記薬局ワークフローアプリケーションが、前記受け取った指示に応答して、前記製品のうち少なくとも１つを、最終容器に対応する選択された製品として、前記選択された製品の最終容器の特徴に少なくとも部分的に基づいて動的に決定するよう動作可能であり；並びに
前記最終容器に対する前記ドーズの調合に関連するドーズ調合ステップを表示するために、前記アクセス端末にて設けられるユーザー・インターフェース。
（発明８０）
発明７９に記載のシステムであって、ここで、前記最終容器の特徴が、前記ドーズオーダー記録に対応する第一のデータフィールド、及び、前記複数の指示された製品のうち少なくとも１つに関連する処方データ記録に対応する第二のデータフィールドを含み、並びに
ここで、前記第一のデータフィールド及び前記第二のデータフィールドは複数の値を含む、該システム。
（発明８１）
発明８０に記載のシステムであって、ここで、前記薬局ワークフロー管理アプリケーションが、前記動的に決定することに関連して、前記ドーズオーダーの最終容器インジケータを示す前記第一のデータフィールドの値を特定するよう動作可能であり、及び
ここで、前記最終容器指示が、前記ドーズオーダーが前記最終容器における調合に適する事を示す、該システム。
（発明８２）
発明８１に記載のシステムであって、ここで、前記薬局ワークフロー管理アプリケーションが、前記動的に決定することに関連して、前記ドーズ調合プロトコルに関連する前記複数の製品の希釈製品を示す前記第二のデータフィールドの値を特定するように動作可能であり、及び
ここで、前記希釈製品が、前記ドーズオーダーが前記最終容器における調合に適する事を示す、該システム。
（発明８３）
発明８２に記載のシステムであって、ここで、前記薬局ワークフロー管理アプリケーションが、前記動的に決定することに関連して、危険物（Ｈａｚｍａｔ）ドラッグを有さないドーズオーダーを示す前記第一のデータフィールドの値を特定するよう動作可能であり、及び
ここで、前記危険物（Ｈａｚｍａｔ）ドラッグを有さない前記ドーズオーダーが、前記ドーズオーダーが前記最終容器における調合に適する事を示す、該システム。
（発明８４）
発明８３に記載のシステムであって、ここで、前記薬局ワークフロー管理アプリケーションが、前記動的に決定することに関連して、希釈ライン項目を示す前記第一のデータフィールドの値及びＱＳドラッグフィールドを示す前記第二のデータフィールドの値を特定するよう動作可能であり、及び
ここで、前記ドーズオーダーが前記最終容器における調合に適するよう、前記希釈ライン項目が前記ＱＳドラッグフィールドと等しくなる、該システム。
（発明８５）
発明８４に記載のシステムであって、ここで、前記薬局ワークフロー管理アプリケーションが、前記動的に決定することに関連して、前記ドーズオーダーのトータルボリュームを示す前記第一のデータフィールドの値を特定するよう動作可能であり、及び
ここで、前記ドーズオーダーが前記最終容器における調合に適するよう、前記値が最小ドーズボリュームを超える、該システム。
（発明８６）
発明８５に記載のシステムであって、ここで、前記最小ドーズボリュームが、サイト特異的な好適性に基づいて設定可能である、該システム。
（発明８７）
発明８５に記載のシステムであって、ここで、前記最小ドーズボリュームが２４ｍｌである、該システム。
（発明８８）
発明８５に記載のシステムであって、ここで、前記薬局ワークフロー管理アプリケーションが、前記動的に決定することに関連して、前記希釈製品の最終容器指示を示す前記第二のデータフィールドの値を特定するよう動作可能であり、及び
ここで、前記希釈製品の前記最終容器指示が、前記希釈製品が前記最終容器に対応する前記選択された製品として適切である事を示す、該システム。
（発明８９）
発明８８に記載のシステムであって、ここで、前記薬局ワークフロー管理アプリケーションが、前記動的に決定することに関連して、前記最終容器に対応する複数の選択された製品を有さないドーズオーダーであることを示す前記第二のデータフィールドの値を特定するよう動作可能であり、及び
ここで、前記最終容器に対応する複数の選択された製品を有さない前記ドーズオーダーが、前記ドーズオーダーが前記最終容器における調合に適する事を示す、該システム。
（発明９０）
発明８９に記載のシステムであって、ここで、前記薬局ワークフロー管理アプリケーションが、前記動的に決定することに関連して、前記希釈製品の新たな容器を示す前記第二のデータフィールドの値を特定するよう動作可能であり、及び
ここで、前記希釈製品の前記新たな容器が、前記ドーズオーダーが前記最終容器における調合に適する事を示す、該システム。
（発明９１）
発明９０に記載のシステムであって、ここで、前記薬局ワークフロー管理アプリケーションが、前記動的に決定することに関連して、前記ドーズオーダーのトータルボリュームを示す前記第一のデータフィールドの値を特定し、及び前記希釈製品のボリュームを示す前記第二のデータフィールドの値を特定するよう動作可能であり、
ここで、前記ドーズオーダーが前記最終容器における調合に適するよう、前記ドーズオーダーのトータルボリュームと前記希釈製品の前記ボリュームとの間の絶対パーセンテージ差分が、所定の差分パーセンテージ未満である、該システム。
（発明９２）
発明９１に記載のシステムであって、ここで、前記所定の差分パーセンテージが、サイト特異的な好適性に基づいて設定可能である、該システム。
（発明９３）
発明９１に記載のシステムであって、ここで、前記所定の差分パーセンテージが１００％である、該システム。
（発明９４）
発明９１に記載のシステムであって、ここで、前記薬局ワークフロー管理アプリケーションが、前記動的に決定することに関連して、前記ドーズオーダーのトータルボリュームを示す前記第一のデータフィールドの値を特定し、及び前記ドーズオーダーのキャリア成分ボリュームを示す前記第二のデータフィールドの値を特定するよう動作可能であり、
ここで、前記ドーズオーダーが前記最終容器における調合に適するよう、前記ドーズオーダーのキャリア成分ボリュームと前記ドーズオーダーのトータルボリュームとの間での差分が、所定のウェイストボリューム未満である、該システム。
（発明９５）
発明９４に記載のシステムであって、ここで、前記所定のウェイストボリュームが、サイト特異的な好適性に基づいて設定可能である、該システム。
（発明９６）
発明９４に記載のシステムであって、ここで、前記所定のウェイストボリュームが２００ｍｌである、該システム。
（発明９７）
薬局ワークフロー管理アプリケーションのドーズオーダー調合プロトコルにおける動的な希釈ボリューム計算のためのシステムであって、以下を含むシステム：
前記薬局ワークフロー管理アプリケーションから離れ、且つ該アプリケーションと動作可能に通信するアクセス端末、
ここで、前記薬局ワークフロー管理アプリケーションが、前記薬局ワークフロー管理アプリケーションが受け取るドーズオーダーに対応するドーズオーダー記録にアクセスするよう動作可能であり、及び
ここで、前記ドーズオーダーは調合されておらず、及び
ここで、前記薬局ワークフロー管理アプリケーションが、ドーズ調合プロトコルに関連する製品の第一の指示を受け取るよう動作可能であり、及び
ここで、前記薬局ワークフロー管理アプリケーションが、前記受け取った第一の指示に応答して、必要な希釈ボリュームを、前記指示に基づいて動的に決定するよう動作可能であり；並びに
前記アクセス端末にて設けられ、前記必要な希釈ボリュームに対する前記ドーズの調合に関連するドーズ調合ステップを表示するためのユーザー・インターフェース。
（発明９８）
発明９７に記載のシステムであって、ここで、前記薬局ワークフロー管理アプリケーションは、前記動的に決定された必要な希釈ボリュームの第二の指示を受け取るよう動作可能である、該システム。
（発明９９）
発明９８に記載のシステムであって、ここで、前記動的に決定された必要な希釈ボリュームの前記指示は、前記ドーズオーダーの調合の際に使用するための１以上の処方製品に対応する、該システム。
（発明１００）
発明９９に記載のシステムであって、ここで、前記１以上の処方製品が、ドーズ調合プロトコルに対して許可された希釈製品のリストに関連する、該システム。
（発明１０１）
発明１００に記載のシステムであって、ここで、前記１以上の各処方製品が同一の処方製品である、該システム。
（発明１０２）
発明９９に記載のシステムであって、ここで、トータル処方製品が前記動的に決定された必要な希釈ボリュームと等しくなるよう、前記１以上の処方製品が前記トータル処方製品ボリュームを含む、該システム。
（発明１０３）
発明９７に記載のシステムであって、ここで、前記薬局ワークフロー管理アプリケーションが、前記表示することに関連して、前記動的に決定された必要な希釈ボリュームを表示するよう動作可能である、該システム。
（発明１０４）
発明１０３に記載のシステムであって、ここで、前記薬局ワークフロー管理アプリケーションが、前記動的に決定された必要な希釈ボリュームを、前記必要な希釈ボリュームの第二の指示を受け取ることに基づいて設定するよう動作可能である、該システム。
（発明１０５）
発明９７に記載のシステムであって、ここで、前記ユーザー・インターフェースが、折りたたんだときに情報を隠すように構成される少なくとも１つの折り畳み可能なエリアを表示するよう動作可能であり、及び
ここで、前記情報は前記動的に決定された必要な希釈ボリュームの第二の指示に対応する、該システム。
（発明１０６）
薬局ワークフロー管理アプリケーションにおける薬局ワークフローキューにてドーズオーダー記録に関するエラーを管理するためのシステムであって、以下を含むシステム：
前記薬局ワークフロー管理アプリケーションから離れ、且つ該アプリケーションと動作可能に通信するアクセス端末、
ここで、前記薬局ワークフロー管理アプリケーションが、前記薬局ワークフロー管理アプリケーションが受け取るドーズオーダーに対応するドーズオーダー記録にアクセスするよう動作可能であり、及び
ここで、前記ドーズは調合されておらず、及び
ここで、前記薬局ワークフローアプリケーションは、前記ドーズオーダー記録に対して第一の処理を実行して、前記ドーズオーダーに関連するエラー状態に対応するアラートを生成するよう動作可能であり；並びに
前記アクセス端末にて設けられ、前記アラートに関連して対応する前記ドーズオーダーを表示するためのユーザー・インターフェース；
ここで、前記薬局ワークフロー管理アプリケーションが、前記エラーの解決を示す入力を受け取るよう動作可能であり、及び
ここで、前記薬局管理アプリケーションが、前記入力に基づいて、前記ドーズオーダーに対する第二の処理を実行するよう動作可能であり、及び
ここで、前記薬局管理アプリケーションが、前記解決を確認した後、前記ドーズオーダーを再度キューに追加するよう動作可能である。
（発明１０７）
発明１０６に記載のシステムであって、ここで、前記エラー状態は構文エラーを含む、該システム。
（発明１０８）
発明１０７に記載のシステムであって、ここで、前記構文エラーが、前記ドーズオーダー記録の１以上の理解できないデータ属性に対応する、該システム。
（発明１０９）
発明１０６に記載のシステムであって、ここで、前記エラー状態がドラッグエラーを含む、該システム。
（発明１１０）
発明１０９に記載のシステムであって、ここで、前記ドラッグエラーが、前記ドーズオーダー記録のドラッグに関連する１以上の認識できないデータ属性に対応する、該システム。
（発明１１１）
発明１１０に記載のシステムであって、ここで、前記薬局ワークフローアプリケーションが、処方データ記録を、前記認識できないデータ属性に少なくとも部分的に基づいて生成するよう動作可能である、該システム。
（発明１１２）
発明１０６に記載のシステムであって、ここで、前記エラー状態が、未知のユニットのエラーを含む、該システム。
（発明１１３）
発明１１２に記載のシステムであって、ここで、前記未知のユニットのエラーが、前記ドーズオーダー記録のユニットに関連する認識できないデータ属性に対応する、該システム。
（発明１１４）
発明１０６に記載のシステムであって、ここで、前記エラー状態が、未知の製品のエラーを含む、該システム。
（発明１１５）
発明１１４に記載のシステムであって、ここで、前記未知の製品のエラーが、前記ドーズオーダー記録の製品に関連する認識できないデータ属性に対応する、該システム。
（発明１１６）
発明１１５に記載のシステムであって、ここで、前記薬局ワークフロー管理アプリケーションが、処方データ記録を、前記認識できないデータ属性に少なくとも部分的に基づいて生成するよう動作可能である、該システム。
（発明１１７）
発明１０６に記載のシステムであって、ここで、前記エラー状態が、未知のルートのエラーを含む、該システム。
（発明１１８）
発明１１７に記載のシステムであって、ここで、前記未知のルートのエラーが、前記ドーズオーダーのルートに関連する認識できないデータ属性に対応する、該システム。
（発明１１９）
発明１１８に記載のシステムであって、ここで、前記薬局ワークフロー管理アプリケーションが、処方データ記録を、前記認識できないデータ属性に少なくとも部分的に基づいて変更するよう動作可能である、該システム。
（発明１２０）
発明１０６に記載のシステムであって、ここで、前記エラー状態がパスワードエラーを含む、該システム。
（発明１２１）
発明１２０に記載のシステムであって、ここで、前記パスワードエラーが、ユーザーアカウントのパスワードの期限切れに対応する、該システム。
（発明１２２）
発明１２０に記載のシステムであって、ここで、前記パスワードエラーが、無効なユーザーアカウントに対応する、該システム。
（発明１２３）
発明１０６に記載のシステムであって、前記エラー状態が、中止が疑われるドーズエラーに対応する、該システム。
（発明１２４）
発明１２３に記載のシステムであって、ここで、前記中止が疑われるドーズエラーが、中止されたドーズオーダーに対応する、該システム。
（発明１２５）
発明１２４に記載のシステムであって、ここで、前記薬局ワークフロー管理アプリケーションが、前記中止されたドーズオーダーを削除するよう動作可能である、該システム。
（発明１２６）
発明１０６に記載のシステムであって、ここで、前記エラー状態が、二重化が疑われるエラーを含む、該システム。
（発明１２７）
発明１２６に記載のシステムであって、ここで、前記二重化が疑われるエラーが、二重化ドーズオーダーに対応する、該システム。
（発明１２８）
発明１２７に記載のシステムであって、ここで、前記薬局ワークフロー管理アプリケーションが、前記二重化ドーズオーダーを削除するよう動作可能である、該システム。